【手続補正書】
【提出日】平成16年8月19日(2004.8.19)
【手続補正１】
【補正対象書類名】明細書
【補正対象項目名】全文
【補正方法】変更
【補正の内容】
【書類名】      明細書
【発明の名称】  容器
【特許請求の範囲】
【請求項１】
対向して配置された２つの幅広胴板（１４）と、それぞれの幅広胴板（１４）に隣接する２つの幅広頂部板（３０）と、対向して配置された２つの幅狭胴板（１６）と、それぞれの幅狭胴板（１６）に隣接する２つの幅狭頂部板（２２）と、頂部閉鎖シールとを包含し、前記頂部閉鎖シールが密封フィン（４６）を包含し、この密封フィン（４６）が他の密封フィン（２６）間で密封されている容器において、前記密封フィン（４６）が前記幅広頂部板（３０）に存在すると共に前記他の密封フィン（２６）が前記幅狭頂部板（２２）に存在することを特徴とする容器。
【請求項２】
対向して配置された２つの幅広胴板（１４）と、それぞれの幅広胴板（１４）に隣接する２つの幅広頂部板（３０）と、対向して配置された２つの幅狭胴板（１６）と、それぞれの幅狭胴板（１６）に隣接する２つの幅狭頂部板（２２）と、前記頂部板（２２，３０）の一方（２２）に設けられた注ぎ手段（２９，２９′）と、頂部閉鎖シールとを包含する容器において、前記頂部閉鎖シールが前記２つの幅広頂部板の一方から他方へ延びていることを特徴とする容器。
【請求項３】
前記頂部閉鎖シールが前記幅広頂部板（３０）に存在する密封フィン（４６）を包含し、この密封フィン（４６）が前記幅狭頂部板（２２）に存在する他の密封フィン（２６）間で密封されている、請求項２記載の容器。
【請求項４】
前記幅狭頂部板（２２）に存在する密封フィン（２６）が前記幅狭頂部板（２２）の各々に存在して幅いっぱいに延びている密封フィン（２６）から成り、かつ、前記幅広頂部板（３０）に存在する密封フィン（４６）が前記幅広頂部板（３０）の各々に存在する一対の密封フィン（４６）から成り、前記一対の密封フィンが互いに離れて間隔を置いて配置されている、請求項１又は３記載の容器。
【請求項５】
前記幅広頂部板（３０）の各々の板区分（４８−５４）が、中央の内側に折りたたまれた三角形の板区分（５４）と、この中央の内側に折りたたまれた三角形の板区分（５４）の両辺にそれぞれ存在する２つの隣接する内側に折りたたまれた三角形の板区分（４８，５０）と、前記中央の内側に折りたたまれた三角形の板区分（５４）の両辺にそれぞれ存在する２組の前記２つの隣接する内側に折りたたまれた三角形の板区分（４８，５０）の間に存在する２つの隣接する外側に折りたたまれた三角形の板区分（５２）とを包含する、請求項４記載の容器。
【請求項６】
前記幅広頂部板（３０）の各々に関して、前記２つの隣接する外側に折りたたまれた三角形の板区分（５２）が、前記中央の内側に折りたたまれた三角形の板区分（５４）の頂点（４０）に位置するそれらの頂点（４０）を有し、この頂点（４０）と対向する辺（６０）が前記幅広頂部板（３０）に存在する前記一対の密封フィン（４６）の間に位置している、請求項５記載の容器。
【請求項７】
前記幅広頂部板（３０）の各々に関して、前記２つの隣接する内側に折りたたまれた三角形の板区分（４８，５０）が、各々、隣接する前記幅広胴板（１４）と前記幅広頂部板（３０）との間の角部で交わる頂点と、この頂点と対向する辺（３６，４２）とを有し、これらの辺（３６，４２）がそれぞれ前記一対の密封フィン（４６）の一方の辺（３６）及び前記２つの外側に折りたたまれた三角形の板区分（５２）の一方の辺（４２）に位置している、請求項６記載の容器。
【請求項８】
前記幅広頂部板（３０）の各々に関して、前記２つの外側に折りたたまれた三角形の板区分（５２）の頂点（４０）と対向する前記辺（６０）が、前記幅広頂部板（３０）に存在する前記一対の密封フィン（４６）の間で密封されている、請求項６又は７記載の容器。
【請求項９】
更に、前記板区分（４８−５４）に境界をつけるために前記幅広頂部板（３０）の各々に形成されたスコア線（３４，３８，４２）を包含する、請求項５ないし８のいずれか一項に記載の容器。
【請求項１０】
前記注ぎ手段（２９，２９′）が注ぎ口備品（２９′）を包含する、請求項２又は３記載の、あるいは請求項２に従属する請求項４ないし９のいずれか一項に記載の容器。
【発明の詳細な説明】
【０００１】
本発明は、一般的には流体を運ぶための容器に関し、特に、長方形断面の切妻形頂部を特徴とする容器のための、改良された頂部閉鎖装置に関する。
【０００２】
長方形断面を有する切妻形頂部の紙板製容器に関して、従来の密封フィンは、対向して配置された２つの幅広胴板の頂部の中央を横切って延びている。キャップ付の注ぎ口備品が幅広頂部板のひとつに取り付けられている場合には、容器の内容物を注ぐために幅広胴板の全体を手でしっかりとつかむことは、大多数の消費者にとって、便利なことではないし、あるいは容易なことでもない。従って、対向して配置された２つの幅狭胴板の頂部の中心を横切って延びている密封フィンを有する容器をつかむためには、２つの幅狭頂部板のひとつに注ぎ口備品を取り付けることは便宜なものである。このような容器の取扱いの便宜は、例えば米国特許ＵＳ−Ａ−４，３９０，１２１号に示されたような一体の注ぎ口を備えた切妻形頂部の長方形容器の取扱い、米国特許ＵＳ−Ａ−４，９１１，３０６号、米国特許ＵＳ−Ａ−４，７８５，９９３号、米国特許ＵＳ−Ａ−５，０２９，７１３号及び米国特許ＵＳ−Ａ−５，０８６，９２８号に示されている平坦頂部の長方形容器の取扱い、そしてまた欧州特許ＥＰ−Ｂ−０，４９１，７５９号、英国特許ＧＢ−Ａ−２，２５３，６１１号及び米国特許ＵＳ−Ａ−４，９７１，２４３号に示されている傾斜頂部の長方形容器の取扱いと比べられてもひけをとらないものである。
【０００３】
本発明のひとつの態様によれば、対向して配置された２つの幅広胴板と、それぞれの幅広胴板に隣接する２つの幅広頂部板と、対向して配置された２つの幅狭胴板と、それぞれの幅狭胴板に隣接する２つの幅狭頂部板と、頂部閉鎖シールとを包含し、前記頂部閉鎖シールが密封フィンを包含し、この密封フィンが他の密封フィン間で密封されている容器において、前記密封フィンが前記幅広頂部板に存在すると共に前記他の密封フィンが前記幅狭頂部板に存在することを特徴とする容器が提供される。
【０００４】
本発明のこの態様によれば、外側の密封フィンが対向して配置された２つの幅狭頂部板の頂部の中心を横切って形成されている、切妻形頂部の長方形断面容器用の頂部閉鎖装置を提供することが可能になる。
【０００５】
本発明の他の態様によれば、対向して配置された２つの幅広胴板と、それぞれの幅広胴板に隣接する２つの幅広頂部板と、対向して配置された２つの幅狭胴板と、それぞれの幅狭胴板に隣接する２つの幅狭頂部板と、前記頂部板の一方に設けられた注ぎ手段と、頂部閉鎖シールとを包含する容器において、前記頂部閉鎖シールが前記２つの幅広頂部板の一方から他方へ延びていることを特徴とする容器が提供される。
【０００６】
本発明のこの態様によれば、頂部板に設けられた注ぎ手段、たとえば注ぎ口備品を有する、切妻形頂部の長方形断面容器用の改良された頂部閉鎖装置を提供することが可能になる。
【０００７】
本発明の好適な実施例によれば、長方形の切妻形頂部容器の頂部閉鎖装置は、２つ幅広頂部板に形成されて密封工程の間に内向きに折りたたまれる板区分を画成する複数のスコア線を包含し、かつ内容物を注ぐ間の消費者による容器の取扱いをより便利にするために、２つの幅狭頂部板の一方に設けられた注ぎ手段、たとえば注ぎ口備品を備えている。
【０００８】
本発明も明確に理解しまた本発明を容易に実施できるようにするために、以下本発明の実施例について添付図面を参照して詳述する。
【０００９】
図面を詳細に参照するに、図１は、図２及び図３に示されている長方形断面の容器１２を作るためのサーモプラスチック被覆した紙板のブランク１０を示している。
【００１０】
このブランク１０は、垂直なスコア線１８によって区分された２つの幅広胴板１４と２つの幅狭胴板１６とを包含する。頂部閉鎖装置２０は、水平なスコア線２４で各々の幅狭胴板１６から区分された幅狭で、長方形の頂部板２２を包含する。密封フィン２６は、水平なスコア線２８により各板２２から区分されている。符号２９′で示されている注ぎ口備品は、例えば米国特許ＵＳ−Ａ−５，２６７，９３８号又は米国特許ＵＳ−Ａ−５，４３５，８０３号に記載されているような任意の適当な方法により、２つの幅狭板２２の一方の穴２９に取り付けられる。
【００１１】
折りたたみ可能で、幅広な、長方形の頂部板３０は、水平なスコア線３２によって各々の幅広胴板１４から区分されている。この板３０は、２本の対称上向きに収束する斜めのスコア線３４を包含し、各スコア線３４はスコア線３２とスコア線１８との交点からそれぞれが隣接するスコア線２８から延びる水平なスコア線３６まで延びている。
【００１２】
追加の２本の対称上向きに収束するスコア線３８は、各々、スコア線３２とスコア線１８との交点から板３０を横切る中ほどの点４０で交差するまで延びている。
【００１３】
２本の対称上向きに広がるスコア線４２は、交点４０から板３０の自由端６２まで、スコア線３４とスコア線３６との交差端を通過して延びている。
【００１４】
中央の垂直なスコア線４４は、交点４０から板３０の自由端６０まで上向きに延びている。
【００１５】
密封フィン４６は、スコア線１８，３６及び４２と板３０の自由端６２とによって囲まれている。スコア線３４，３８及び４２は板区分５０を画成する。スコア線４２及び４４と板３０の自由端６０とは板区分５２を画成する。スコア線３２と２本のスコア線３８とは板区分５４を画成する。
【００１６】
ブランク１０が容器１２の形に折りたたまれる段階の最後で、各々の板３０は下記のようにその個々のスコア線に沿って折りたたまれる。すなわち、板区分４８，５０及び５４は各々内向きに突出し、そして２つの板区分５２は、板区分４６，４８，５０及び５４の拘束の下で外向きに突出する。一対の密封フィン４６は、その間で板区分５２の上部を拘束するまで互いに向かって動く。２つの板２２の上部の２つの密封フィン２６は、それらが密封フィン４６及び板区分５２の上部をそれらの外側端部間で拘束し、そしてそれらの中央部分で互いに直接係合するまで（図３）、互いに次第に接近する（図２）。
【００１７】
底部閉鎖装置（図示省略）は、例えば参考として記載する米国特許ＵＳ−Ａ−３，４９８，５２４号に記載されたような、従来の底部閉鎖装置である。
【００１８】
以上述べた構成において、一対の密封フィン４６の端部間の各々の板３０の自由端６０はブランク１０において密封フィン４６の他の自由端６２と一直線上にあるので（図１）、自由端６０は、図２に示されるように、折りたたみ工程の間、下向きに沈下する。上述したように密封された２つの板区分５２の隣接し合う上部分は、自由端６０が下向きに沈下するので、密封フィン４６間で三角形の形状になる。
【００１９】
図５に示されるように、より均一の密封構造のためには、自由端６０及び６２が折りたたんだ後に一直線に並ぶことが望ましく、この場合には、図４のブランク１０の板３０は、各々、２つの上向きに収束する自由端６０ａを含んで形成され、これによって２つの板区分５２ａを拡大している。
【００２０】
図面を参照して記載した実施例が、幅広胴板と平行な従来の頂部シールではなくて、対向して配置された２つの幅狭胴板の幅を横切って延びる頂部シールを包含する、長方形の切妻形頂部を特徴とする容器（容器は傾斜頂部を特徴とする容器であってもよい）を提供することは明らかである。このような容器は、頂部シールが幅広板を横切って延びて、幅広板のひとつに注ぎ手段が取り付けられている容器よりも、容器の内容物を注ぐ時の消費者の取扱いが一層簡単で容易なものである。
【００２１】
さらに、本発明による板３０は容器の頂部閉鎖体の一方の幅広側にのみ設けることができることも明らかである。この場合には、例えば米国特許ＵＳ−Ａ−３，１１６，００２号（参考として記載されている）に記載されたような従来の折りたたんで密封した切妻形頂部が容器の他方の幅広側に包含されて従来の一体で開口可能な注ぎ口を提供するようにする。
【００２２】
本発明の教示内において、多くの変形ができる。たとえば、注ぎ手段は、注ぎ口備品２９′の形か、あるいは幅狭閉鎖板を貫通して形成された注ぎ口２９を閉じる又は消費者が注ぎ口を形成するようにした幅狭閉鎖板の区域を覆うハッチ取付備品の形とすることができる。あるいは、注ぎ手段は、幅狭閉鎖板を貫通する注ぎ口を形成するために消費者によって引き裂かれる引き裂区域の形とすることができる。
【図面の簡単な説明】
【図１】
本発明の一実施例による切妻形頂部容器を形成するためのブランクの部分平面図である。
【図２】
図１のブランクから形成された容器の頂部閉鎖体の部分斜視図で、部分的に閉じられた状態を示している。
【図３】
図２の容器の頂部閉鎖体の部分斜視図で、完全に閉じられた状態である。
【図４】
図１の構造の変形例を示すブランクの部分平面図である。
【図５】
図４の容器の頂部閉鎖体の部分斜視図で、完全に閉じられた状態である。
【符号の説明】
１０    ブランク
１２    容器
１４    幅広胴板
１６    幅狭胴板
１８    スコア線
２０    頂部閉鎖装置
２２    幅狭頂部板
２４    スコア線
２６    密封フィン
２８    スコア線
２９    注ぎ口備品取付け穴又は注ぎ口
２９’    注ぎ口備品
３０    幅広頂部板
３２，３４，３６，３８    スコア線
４０    頂点又は交点
４２，４４    スコア線
４６    密封フィン
４８，５０，５２，５２ａ，５４    板区分
６０，６０ａ，６２    自由端
【手続補正２】
【補正対象書類名】図面
【補正対象項目名】図１
【補正方法】変更
【補正の内容】
【図１】
1998081330.tif 000001